(57)【特許請求の範囲】
【請求項１】
本体ケースの上面に設けた透光性の天板と、前記天板上に設けた被加熱調理容器を載置して誘導加熱により加熱する加熱部と、前記天板の下方に前記加熱部に対応して設けた加熱コイルと、光を発する複数の光源と、前記光源の光を導光し前記加熱コイルの外周部で発光する導光体とを備え、前記複数の光源を少なくとも２つの系統に分割し、各系統を並列に配線する構成であって、かつ、前記導光体を円環状とし、その中央部に複数の前記光源を円環状に配列する構成とした誘導加熱調理器。
【請求項２】
分割した少なくとも２つの系統の前記光源を系統ごとにブロック化して配線する構成とした請求項１に記載の誘導加熱調理器。
【請求項３】
分割した少なくとも２つの系統の前記光源を系統が順番にくりかえされるように配線する構成とした請求項１に記載の誘導加熱調理器。
【請求項４】
前記導光体の外周端部に、天板に対して垂直方向に立ち上げた壁部を設け、前記壁部の上面より天板方向に発光する構成とした請求項１ないし３のいずれか１項に記載の誘導加熱調理器。
【請求項５】
前記光源の配線の系統を２系統とし、夫々の系統を交互に点滅する構成とした請求項１ないし４のいずれか１項に記載の誘導加熱調理器。
【請求項６】
前記光源の配線の系統を少なくとも３系統とし、夫々の系統を順次点滅する構成とした請求項１ないし４のいずれか１項に記載の誘導加熱調理器。
【請求項７】
前記光源のリード部を導光体の中央部を中心として放射線状に配線する構成とした請求項１ないし６のいずれか１項に記載の誘導加熱調理器。
【請求項８】
前記光源の前記リード部をツイスト状とする構成とした請求項７に記載の誘導加熱調理器。
【発明の詳細な説明】
【０００１】
【発明の属する技術分野】
本発明は、誘導加熱調理器に関し、特に複数の光源の配線の仕方に関するものである。
【０００２】
【従来の技術】
誘導加熱調理器は加熱コイルに高周波電流を流し、高周波磁界を発生させ、加熱コイルと磁気結合している鍋（負荷）に渦電流によるジュール熱を発生させ、鍋自体を発熱させて調理を行う調理器である。そのため炎が見えるガス調理器や加熱部が赤熱する電気ヒータと違い加熱部を視覚的に捉えることができないという問題があった。
【０００３】
この課題を解決するために、例えば、特許公報第２９０３５６１号に記載されているようなものがあった。図５において天板１の下方に設けられた被加熱鍋を誘導加熱により加熱する加熱コイル２と、この加熱コイル２の周辺に配された電球３から構成されている。そして、加熱動作と同時に加熱コイル２の周辺に配した電球３が点灯し加熱範囲を表示することが開示されている。
【０００４】
また、特開平７−３１２２７９号公報には加熱コイルの外周に環状に複数個の加熱表示用の発光ダイオードとその外側近傍に火力表示用の発光ダイオードとを設け、加熱コイルに通電し加熱すると加熱表示用の発光ダイオードが光り加熱状態が分かるということが記載されている。
【０００５】
さらに、本発明に先立って加熱コイルの下方に導光体片４ａと光源５とを１ブロックとし、これらのブロックを組み合わせて円環状の導光体４を設ける構成が提案された。この構成では円環状の中央部に複数の光源４を配置し、加熱コイルに通電し加熱するとこれらの光源４が点灯し、円環状の導光体の外周部で発光することにより加熱状態が分かるというものである。
【０００６】
【発明が解決しようとする課題】
しかしながら、前記従来の構成ではいずれも複数の光源を用いているが、いずれも各光源を直列に配線した１系統であるため、何らかの原因で一部でも故障すると全体が点灯しないようになり、加熱部を視覚的に捉えられないという問題があった。
【０００７】
また、表示パターンとしては点灯と点滅のパターンしかなくいろいろの表示ができないという問題があった。
【０００８】
本発明は、従来の課題を解決するもので、一部が故障しても全体が点灯しないようにならないようにすることにより、加熱部を視覚的に捉えることができるとともに多数のパターンを表示できるようにした誘導加熱調理器を提供することを目的とする。
【０００９】
【課題を解決するための手段】
前記従来の課題を解決するために、本発明の誘導加熱調理器は光を発する複数の光源と、前記光源の光を導光し前記加熱コイルの外周部で発光する導光体とを備え、前記複数の光源を少なくとも２つの系統に分割し、各系統を並列に配線する構成であって、かつ、前記導光体を円環状とし、その中央部に複数の前記光源を円環状に配列する構成とした。
【００１０】
この構成によって、光源を配線した一つの系統が故障しても他の系統が故障していなければその系統は点灯し続ける。また、複数の系統があるため表示のパターンもいろいろ組み合わせることができる。また、天板上の表示が連続的に表示されるので故障のため表示されない個所があったり、光量が減少したりしたときは、故障が発生していることを容易に認識できる。
【００１１】
【発明の実施の形態】
請求項１に記載の発明は、本体ケースの上面に設けた透光性の天板と、前記天板上に設けた被加熱調理容器を載置して誘導加熱により加熱する加熱部と、前記天板の下方に前記加熱部に対応して設けた加熱コイルと、光を発する複数の光源と、前記光源の光を導光し前記加熱コイルの外周部で発光する導光体とを備え、前記複数の光源を少なくとも２つの系統に分割し、各系統を並列に配線する構成とし、かつ、前記導光体を円環状とし、その中央部に複数の前記光源を円環状に配列する構成とした。
【００１２】
そして、この構成によって、光源を配線した一つの系統が故障しても他の系統が故障していなければその系統は点灯をし続けるため、加熱部を視覚的に捉えることができる。そのため安全性を高めることができる。さらに、複数の系統があるため組み合わせの数が多くなり表示パターンも多くすることができる。
【００１３】
例えば、機器の機能あるいは機器の状態あるいは使用状態あるいは時間などによって、系統毎に光源の種類あるいは色あるいは大きさあるいは明るさなどを変えたり、点灯あるいは点滅あるいは消灯を系統毎に変えることは設計者が任意に設定できるものである。また、天板上の表示が連続的に表示されるので故障のため表示されない個所があったり、光量が減少したりしたときは、故障が発生していることを容易に認識できる。
【００１４】
請求項２記載の発明は、特に、請求項１に記載の分割した少なくとも２つの系統の光源を系統ごとにブロック化して配線する構成としたもので、一つの系統が故障しても他の系統が故障していなければその系統はブロックとして点灯をし続けるため、加熱部を視覚的に捉えることができるとともに、故障していることを容易に認識できる。
【００１５】
請求項３記載の発明は、特に、請求項１に記載の分割した少なくとも２つの系統の光源を系統が順番にくりかえされるように配線する構成としたもので、一つの系統が故障しても他の系統が故障していなければその系統はブロックとして点灯をし続けるため、加熱部を視覚的に捉えることができるとともに、光量が減少しているため故障していることを容易に認識できる。
【００１６】
請求項４記載の発明は、特に、導光体の外周端部に、天板に対して垂直方向に立ち上げた壁部を設け、前記壁部の上面より天板方向に発光する構成としたもので天板上の表示が連続的に鮮明に表示されるので故障のため表示されない個所があったり、光量が減少したりしたときは、故障が発生していることを容易に認識できる。
【００１７】
請求項５記載の発明は、特に、光源の配線の系統を２系統とし、夫々の系統を交互に点滅する構成としたので、常にどちらかの系統が点灯しているため安心感が得られる。また、系統ごとに発光色を変えることにより視覚的認識を高めることができる。また交互に点灯しないときは故障が発生しているということを容易に認識できる。
【００１８】
請求項６記載の発明は、特に、光源の配線の系統を少なくとも３系統とし、夫々の系統を点滅する構成としたので、故障により視覚的認識ができなくなることをさらに防ぐことができる。また、点滅を系統毎に順次行うことにより点灯しないときは故障が発生しているということを容易に認識できる。
【００１９】
請求項７記載の発明は、特に、光源のリード部を導光体の中央部を中心として放射線状に配線する構成としたので、誘導加熱の磁界による誤動作または発熱を防ぐことができる。
【００２０】
請求項８記載の発明は、特に、光源のリード線をツイスト状とする構成としたので誘導加熱の磁界による誤動作または発熱をさらに防ぐことができる。
【００２１】
【実施例】
以下、本発明の実施例について図面を用いて説明する。
【００２２】
（実施例１）
図２は本発明の実施例１に用いる誘導加熱調理器の斜視図である。図２に示すように本体ケース６の上面に透光性の天板７が設けられている。この天板７には誘導加熱によって鍋を加熱し被調理物を調理する加熱部８と誘導加熱では使えない鍋を用いて調理するラジエントヒータ９とが設けられている。また本体ケース６の前方側面には焙焼器１０と操作部１１とが設けられている。
【００２３】
図３は図２の加熱部８のどちらか一方の断面を示す要部断面図である。図３において天板７の加熱部８上に調理鍋１２が載置される。この調理鍋１２を加熱するために天板７の下部の加熱部８すなわち調理鍋に対応する位置に加熱コイル１３を設けている。さらに加熱コイル１３の下方に導光体１４を設けている。そして、この導光体１４の大きさを加熱コイル１３の外周部を囲う程度の大きさにすることにより導光体１４よりの発光が加熱コイルに妨げられることなく天板７に達し、天板７上に加熱部８の範囲を明確に表示するようにすることができる。導光体としては、アクリル樹脂、ポリカーボネイト樹脂やガラスなど光の透過性能のよい材料を用いる。１５は電球やＬＥＤ（半導体発光素子）などからなる光源で、この光源から発した光は矢印で示したように導光体１４を伝播しその外周部で天板７方向に発光する。１６は制御部で調理にあたっての火力の調節や光源１５の点滅などの制御を行う。
【００２４】
図１は本発明の特徴である複数の光源の系統として２系統の場合を示した配線図である。図１（ａ）は２系統の配線図で６個の光源１５ａとその電源１７ａからなる系統１８Ａと、６個の光源１５ｂとその電源１７ｂからなる系統１８Ｂとからなっている。なお、光源の電源としては直流であっても交流であってもよい。図１（ｂ）は光源１５により天板７に描かれる図形の１例を表示したもので、系統１８Ａにより図形１９ａが、系統１８Ｂにより図形１９ｂが表示される。なお、図１（ｂ）において、系統１８Ａと系統１８Ｂとの間に明確な境界が設けられているが、これは設計の問題で境界を設けてもよいし重ね合うようにしてもよい。
【００２５】
図１において、例えば光源１５ａの１個が故障すると、系統１８Ａは消灯する。この状態で使用者は系統１８Ａが故障していることを認識できるとともに、系統１８Ｂが点灯しているため加熱状態であることを視覚的に捉えることができる。また、系統１８Ａおよび系統１８Ｂを同時にまたは交互に点滅させることによりさらに容易に加熱状態であることを視覚的に捉えることができる。
【００２６】
次に、導光体１４と光源１５との関係について説明する。図４は導光体を円環状とし、その中央部に複数の光源を円環状に配列する構成としたものである。図４では１２個の光源を用い、そのうち左側の６個の光源を直列に配線し系統１８Ａとし、右側の６個の光源を直列に配線し系統１８Ｂとし、夫々の系統をブロックとし配置した場合を示す。このように複数の光源を配置することにより円環状の外周から光が一様に発光する。そして、天板上に円形の図形を表示する。
【００２７】
なお、光源のリード部の接続方法は特に限定されるものではないが、図４においては、光源のリード部２０は円の中心部を中心として放射状に配線している。これは誘導加熱時の磁界による誤動作および発熱を少なくするためである。
【００２８】
この光源のリード部２０は、リード線あるいは基板上のパターンであっても良い。
【００２９】
また、図５は導光体１４と光源１５との関係を示す他の例である。図５では導光体１４を複数個の導光体片１４ａに分割し、前記分割した導光体片１４ａと少なくとも２個の光源とを１ブロックとし、前記ブロックを組み合わせて用いる構成とした。図５は６ブロックで円環を作成したものである。このように導光体片と光源とを組み合わせることによりいろいろな形状の図形とすることができる。なお、図５では、光源１５は１２個用いその配線は図４と同じである。光源のリード部２１は円の中心部を中心として放射状に配線している。図４と異なる点は各光源のリード部２１をツイスト状にしてある点である。このようにすることにより図４よりもさらに磁界の影響を減らすことができる。
【００３０】
この光源のリード部２０は、リード線あるいは基板上のパターンであっても良い。
【００３１】
なお、リード部を放射状に配したり、ツイスト状にして放射状に配したりすることと導光体の形状とは全く関係ない。例えば図４においてツイスト状にしてもよい。リード部をこのように配するのは前記のように誘導加熱時の磁界の影響を防ぐことを目的としたものであり、この目的のためにはどの誘導加熱調理器に用いてもよい。
【００３２】
図６は導光体片１４ｂの他の形状を示したものである。導光体片１４ｂの外周に天板７に垂直方向に壁２２を設けている。これにより天板７への光の強さを増すことができる。
【００３３】
（実施例２）
以下、本発明の実施例２について図７を用いて説明する。実施例２が実施例１と異なる点は複数の光源の配線が異なる点であり、他の構成は実施例１と同じであるので説明は省略する。
【００３４】
図７（ａ）は実施例２における複数の光源の配線図である。実施例１と異なる点は系統１８Ａの光源１５ａと系統１８Ｂの光源１５ｂとを交互に配列し各系統とも光源を６個ずつ用いた点である。そして図７（ｂ）は光源１５により天板７に描かれる図形の１例を示したもので、図７（ａ）の左側の光源部２２ａにより図７（ｂ）の左側の図形２３ａが表示される。また右側の光源部２２ｂにより図７（ｂ）の右側の図形２３ｂが表示される。なお、図形２３ａと２３ｂとの境界は設計により明確になるようにしてもよいし、重ね合うようにしてもよいのは勿論である。
【００３５】
図４において、例えば光源１５ａの１個が故障すると、系統１８Ａは消灯する。この状態で使用者は表示が薄くなるので故障が発生していることを認識することができる。そして、系統１８Ｂが点灯しているため表示は薄くなるが加熱状態であることを視覚的に捉えることができる。
【００３６】
また、系統１８Ａおよび系統１８Ｂを同時にまたは交互に点滅させることによりさらに容易に加熱状態であることを視覚的に捉えることができる。さらに、光源１５ａと１５ｂとの発光色を変える、例えば青と赤にすることにより火力の違いを表示したりすることができる。また、加熱初期段階はどちらか一方の系統を点灯し、加熱が進むにつれ両方の系統を点灯するようにしてもよい。さらに点滅パターンを加えることにより前記以外のさまざまなパターンの表示ができる。
【００３７】
次に、導光体１４と光源１５との関係について説明する。実施例２においても実施例１と同様の関係となる。図５および図６において光源の接続を一つ置きに接続すればよい。
【００３８】
なお、実施例１または２においては光源を２系統とした場合について説明したが、２系統以上にしてもよいのは勿論である。特に３系統以上とし、各系統を順次点滅していくようにすると発光が流れるように移動するので見栄えがよい。しかし、実用的には系統の数が多くなると配線が複雑になるし、また、光源を多数用いるとコスト面でも問題となるので、３系統位までが限度である。
【００３９】
【発明の効果】
以上のように、本発明によれば複数の光源を少なくとも２つの系統に分割し、各系統を並列に配線しているので、一つの系統が故障しても他の系統により加熱状態であることを視覚的に捕らえることができる。
【００４０】
また、点滅などによる表示の組み合わせの自由度が大きくなる。また、天板上の表示が連続的に表示されるので故障のため表示されない個所があったり、光量が減少したりしたときは、故障が発生していることを容易に認識できる。
【図面の簡単な説明】
【図１】（ａ）本発明の実施例１の誘導加熱調理器の光源の配線図
（ｂ）同誘導加熱調理器の天板上に描かれた表示図形を示す図
【図２】誘導加熱調理器の外観斜視図
【図３】本発明の実施例１の誘導加熱調理器の要部断面図
【図４】同誘導加熱調理器の導光体と光源との位置関係を示す図
【図５】同誘導加熱調理器の他の導光体と光源との位置関係を示す図
【図６】同誘導加熱調理器の導光体片の１例を示す斜視図
【図７】（ａ）本発明の実施例２の誘導加熱調理器の光源の配線図
（ｂ）同誘導加熱調理器の天板上に描かれた表示図形を示す図
【図８】従来の誘導加熱調理器の断面図
【図９】従来の誘導加熱調理器の導光体と光源との位置関係を示す図
【符号の説明】
６  本体ケース
７  天板
８  加熱部
１２  被加熱調理容器（調理鍋）
１３  加熱コイル
１４  導光体
１４ａ  導光体片
２０、２１  リード部
２２  壁部
【図１】
0003596429.tif 000002
【図２】
0003596429.tif 000003
【図３】
0003596429.tif 000004
【図４】
0003596429.tif 000005
【図５】
0003596429.tif 000006
【図６】
0003596429.tif 000007
【図７】
0003596429.tif 000008
【図８】
0003596429.tif 000009
【図９】
0003596429.tif 000010